(57)【要約】      （修正有）【課題】コストアップを抑制しつつ、装置全体のスリム化を図り、バニティミラーとして好適に用いることのできる面状照明装置を提供する。【解決手段】面状照明装置１００は、照明部７と、照明部７に積層されるミラー２と、を備える。照明部７は、側面から入射された光を２つの主面のうち一方の主面から出射する導光板９と、側面に対向し、側面に入射される光を発する単一の光源８とを有する。ミラー２は、ミラー部と、照明部７からの光を透過する透光部形成領域１２ｂとを有する。単一の光源８および導光板９の側面は、ミラー２側から見た場合にミラー部の背後に位置し、導光板９の一方の主面はミラー２側から見た場合に透光部と重なる。【選択図】図２Ｂ
2020083274.tif 000002
【特許請求の範囲】
【請求項１】
照明部と、
前記照明部に積層されるミラーと、を備え、
前記照明部は、
側面から入射された光を２つの主面のうち一方の主面から出射する導光板と、
前記側面に対向し、前記側面に入射される光を発する単一の光源とを有し、
前記ミラーは、
ミラー部と、前記照明部からの光を透過する透光部とを有し、
前記単一の光源および前記導光板の前記側面は、前記ミラー側から見た場合に前記ミラー部の背後に位置し、
前記導光板の前記一方の主面は、前記ミラー側から見た場合に前記透光部と重なる、面状照明装置。
【請求項２】
前記ミラーは、
板状のハーフミラーで形成されており、前記ミラー部は、前記ハーフミラーの前記照明部と対向する面に光吸収材が配置されている、請求項１に記載の面状照明装置。
【請求項３】
前記光源同士が背中合わせとなるように一対の前記照明部が対称配置されており、前記ミラーの長辺方向における両側部に、前記ミラー部に隣接する前記透光部がそれぞれ形成されている、請求項１または２に記載の面状照明装置。
【請求項４】
２つの前記光源を背中合わせとなるように対向して配置する単一の基板を備える、請求項３に記載の面状照明装置。
【請求項５】
前記導光板は、
前記一方の主面において、前記ミラー部に対向する領域に平坦部が形成されている、請求項１から４のいずれか一つに記載の面状照明装置。
【請求項６】
前記導光板は、
光を均一に出射するためのプリズム部として、前記一方の主面において、前記ミラーの前記透光部に対向する第１の領域に形成されたプリズムであって、前記光源の位置に応じた点を中心として放射状に延在する放射状プリズムを有する、請求項１から５のいずれか一つに記載の面状照明装置。
【請求項７】
前記放射状プリズムは、
前記光源に対向する前記側面とは反対側の側面に向かうにつれて、プリズムを形成する突出部の高さが高くなる、請求項６に記載の面状照明装置。
【請求項８】
前記導光板は、
前記プリズム部として、前記２つの主面のうち他方の主面において、前記第１の領域の裏側となる第２の領域に形成されたプリズムであって、前記点を中心とした円弧状の曲線プリズムをさらに有する、請求項６または７に記載の面状照明装置。
【請求項９】
前記曲線プリズムは、
プリズムを形成する突出部の高さが、前記光源に対向する前記側面側よりも反対側の側面側が高い、請求項８に記載の面状照明装置。
【請求項１０】
前記導光板において前記プリズム部が形成された領域は、前記ミラーにおける前記透光部が形成された領域よりも大である、請求項６から９のいずれか一つに記載の面状照明装置。
【請求項１１】
前記導光板における前記側面のうち、前記単一の光源が発した光の照射範囲を含む領域には、前記側面の厚み方向に沿った入光プリズムが設けられている、請求項１から１０のいずれか一つに記載の面状照明装置。
【請求項１２】
前記ミラーは、板状のハーフミラーで形成されており、当該ハーフミラーの裏面側に防眩処理が施されている、請求項１から１１のいずれか一つに記載の面状照明装置。
【請求項１３】
前記ミラーは、板状のハーフミラーで形成されており、当該ハーフミラーの前記透光部と重なるように、前記導光板と前記ハーフミラーとの間に拡散フィルムを配置した、請求項１から１１のいずれか一つに記載の面状照明装置。
【発明の詳細な説明】
【技術分野】
【０００１】
本発明は面状照明装置に関する。
【背景技術】
【０００２】
従来、照明装置の一例として、照明部とミラー部とを備えたものがあり、たとえば自動車のサンバイザー等に設けられ、バニティミラーとして用いられている。かかる照明装置を用いたバニティミラーは、夜間でもミラー部が明るく、かつ乗員も明るく映すことができるため、使い勝手が良好となる（たとえば、特許文献１を参照）。
【先行技術文献】
【特許文献】
【０００３】
【特許文献１】特開２００５―２１９６３５号公報
【発明の概要】
【発明が解決しようとする課題】
【０００４】
しかしながら、上記従来の照明装置は、バニティミラーとして用いる上では、たとえば装置全体のさらなるスリム化など、改良の余地が残されている。しかも、コストアップはできるだけ抑えなければならない。
【０００５】
本発明は、上記を課題の一例とするものであり、コストアップを抑制しつつ、装置全体のスリム化を図り、バニティミラーとして好適に用いることのできる面状照明装置を提供することを目的とする。
【課題を解決するための手段】
【０００６】
上述した課題を解決し、目的を達成するために、本発明の一態様に係る面状照明装置は、照明部と、前記照明部に積層されるミラーとを備える。前記照明部は、側面から入射された光を２つの主面のうち一方の主面から出射する導光板と、前記側面に対向し、前記側面に入射される光を発する単一の光源とを有する。前記ミラーは、ミラー部と、前記照明部からの光を透過する透光部とを有する。そして、前記単一の光源および前記導光板の前記側面は、前記ミラー側から見た場合に前記ミラー部の背後に位置し、前記導光板の前記一方の主面は、前記ミラー側から見た場合に前記透光部と重なる。
【図面の簡単な説明】
【０００７】
【図１】図１は、実施形態に係る面状照明装置を備えるサンバイザーの説明図である。
【図２Ａ】図２Ａは、実施形態に係る面状照明装置を模式的に示す平面図である。
【図２Ｂ】図２Ｂは、実施形態に係る面状照明装置を模式的に示す縦断面図である。
【図３Ａ】図３Ａは、実施形態に係る面状照明装置のミラー部を模式的に示す平面図である。
【図３Ｂ】図３Ｂは、実施形態に係る面状照明装置のミラー部を模式的に示す縦断面図である。
【図４Ａ】図４Ａは、実施形態における照明部の基本構造を模式的に示す平面図である。
【図４Ｂ】図４Ｂは、実施形態における照明部の基本構造を模式的に示す側面図である。
【図４Ｃ】図４Ｃは、実施形態における照明部の入光プリズムを模式的に示す平面図である。
【図５Ａ】図５Ａは、実施形態に係る面状照明装置の照明部を模式的に示す平面図である。
【図５Ｂ】図５Ｂは、実施形態に係る面状照明装置の照明部を模式的に示す縦断面図である。
【図６Ａ】図６Ａは、放射状プリズムを導光方向に直交する方向の断面視で示す模式図である。
【図６Ｂ】図６Ｂは、放射状プリズムを導光方向の断面視で示す模式図である。
【図７】図７は、曲線プリズムを導光方向に直交する方向の断面視で示す模式図である。
【図８】図８は、第１の変形例に係る面状照明装置を模式的に示す縦断面図である。
【図９】図９は、第２の変形例に係る面状照明装置を模式的に示す縦断面図である。
【発明を実施するための形態】
【０００８】
以下、本発明を実施するための形態(以下、「実施形態」という)を、添付図面に基づいて詳細に説明する。なお、実施形態の説明の全体を通して同じ構成要素には同じ符号を付している。
【０００９】
以下、実施形態に係る面状照明装置について図面を参照して説明する。なお、以下に説明する実施形態により面状照明装置の用途が限定されるものではない。また、図面は模式的なものであり、各要素の寸法の関係、各要素の比率などは、現実と異なる場合があることに留意する必要がある。さらに、図面の相互間においても、互いの寸法の関係や比率が異なる部分が含まれている場合がある。
【００１０】
まず、実施形態に係る面状照明装置の概要について、図１を参照して説明する。図１は、実施形態に係る面状照明装置を備えるサンバイザーの説明図である。
【００１１】
図１に示すように、実施形態に係る面状照明装置１００は、自動車などに設けられるサンバイザー２００に設けられ、いわゆるバニティミラーとして用いられる。照明付きのミラーとなるため、ミラーを利用する乗員を明るく照らすことができ、使い勝手のよいバニティミラーとすることができる。図示するように、本実施形態に係る面状照明装置１００は、バイザー本体２１０の平面部に埋め込まれた状態で装着される。
【００１２】
次に、図２Ａ〜図７を参照しながら、実施形態に係る面状照明装置１００の具体的な構成について説明する。図２Ａは、実施形態に係る面状照明装置を模式的に示す正面図、図２Ｂは、同縦断面図である。
【００１３】
図２Ａおよび図２Ｂに示すように、面状照明装置１００は、一側に開放面が形成された矩形の箱状のケーシング１の内部に、第１の照明部７１および第２の照明部７２と、これら第１の照明部７１および第２の照明部７２に積層されるミラー２とを配置している。なお、本実施例における第１の照明部７１と第２の照明部７２とは同一の構成を有し、両者を特に区別する必要のない場合、単に照明部７と記す場合がある。
【００１４】
箱状のケーシング１は、図２Ｂに示すように、いずれも矩形形状の第１ケース部１ｂと第２ケース部１ａとから構成される。第１ケース部１ｂは、底壁１１０と周壁１１１とを有し、底壁１１０に対向する面が開放された第１開口部１１２を有する。また、第２ケース部１ａは、枠部１１３を有し、第１ケース部１ｂを嵌装したときに、第１ケース部１ｂの第１開口部１１２を露出させる第２開口部１１４を有する。
【００１５】
図３Ａは、実施形態に係る面状照明装置１００のミラー部を模式的に示す平面図、図３Ｂは、同ミラー部を模式的に示す縦断面図である。
【００１６】
詳しくは後述するが、ミラー２は、図２Ｂに示すように、照明部７に対向するように配置される。すなわち、下層部から上層部にかけて、拡散反射層６、光吸収材５、ハーフミラー４、および透明樹脂板３が積層されて構成される。
【００１７】
ハーフミラー４は、所定の厚みを有し、入射する光の一部を反射し、一部を透過する周知の構成であればよい。本実施形態におけるハーフミラー４は、反射率７０％、透過率３０％としているが、反射率および透過率は限定されるものではない。また、ハーフミラー４は、透明樹脂板３に対し、接着層３００を介して貼り付けられている。接着層３００としては、たとえばＯＣＡ（Optical  Clear  Adhesive）などの透明光学粘着フィルムを用いることができる。
【００１８】
そして、図２Ａに示すように、面状照明装置１００を平面視で見た場合、ミラー２は、ケーシング１の第１開口部１１２および第２開口部１１４から露出する部分において、ミラー部２１と透光部２２とに区画される。
【００１９】
すなわち、ハーフミラー４の照明部７と対向する面において、第１の照明部７１および第２の照明部７２に跨る領域に、黒色で所定の面積を有する矩形の光吸収材５を配置してミラー部２１を形成している。かかるミラー部２１では、図３Ｂの矢印Ｌ１で示すように、光が反射される。ミラー部２１は、図示するように、ハーフミラー４の中央部分を含む領域に形成される。
【００２０】
また、同じくハーフミラー４の照明部７と対向する面において、ミラー部２１を挟むようにして、光吸収材５が設けられていない透光部２２が形成されている。図２Ｂの矢印Ｌ２で示すように、かかる透光部２２を介して照明部７からの光が透過して、バニティミラーを利用する乗員を照射することができる。
【００２１】
このように、光吸収材５を利用するだけでミラー部２１と透光部２２とを簡単に形成することができる。また、ハーフミラー４を用いているため、後述する光源８を点灯しなければ、ケーシング１の内部が車内よりも暗い場合、透光部２２も鏡として機能し、鏡として機能する面積を拡大することができる。なお、光吸収材５は、黒色印刷処理で形成することもできるし、フィルム状の黒色材料を用いて貼付けることもできる。
【００２２】
また、本実施形態では、光吸収材５と照明部７との間に拡散反射層６を設けている。そのため、照明部７を構成する光源８の光を無駄なく導光板９に入光させることができる。このように、拡散反射層６は、後述する導光板９の出射面（第１の主面９３）から漏れ出した光を導光板９に戻すための部材であることから、光吸収材５から分離した（光吸収材５との間に空隙が形成された）状態で導光板９の出射面に重ねて配置されていてもよい。また、図２Ｂに示すように、本実施形態における照明部７は、ケーシング１の底壁１１０に拡散層１３を介して配置している。拡散層１３は拡散反射フィルムまたは拡散板などにより形成することができる。
【００２３】
このように、ハーフミラー４用いた本実施形態に係るミラー２は、照明部７と対向する面とは反対側の反対面に入射した光を反射するミラー部２１と、照明部７からの光を透過する透光部２２とを有する構成となっている。しかも、ミラー２としてハーフミラー４を用いたことで、ミラー部２１と透光部２２との間を仕切るフレームなどが存在しないシームレスな構成とすることができ、意匠的な見栄えも向上する。
【００２４】
次に、図４Ａ〜図５Ｂを参照して照明部７（第１の照明部７１および第２の照明部７２）について説明する。先ず、図４Ａ〜図４Ｃを用いて照明部７の基本構造について説明する。図４Ａは、実施形態における照明部７の基本構造を模式的に示す平面図、図４Ｂは、同照明部７の基本構造を模式的に示す側面図である。また、図４Ｃは、実施形態における照明部７の入光プリズムを模式的に示す平面図である。また、図５Ａは、実施形態に係る面状照明装置１００の照明部７を模式的に示す平面図、図５Ｂは、同照明部７を模式的に示す縦断面図である。
【００２５】
図４Ａおよび図４Ｂに示すように、照明部７は、光源８と導光板９とを有する。光源８としては、たとえば、ＬＥＤ（Light  Emitting  Diode）を好適に用いることができる。なお、光源８としては必ずしもＬＥＤに限定されるものではなく、他の発光装置を用いても構わない。
【００２６】
導光板９は、図４Ｂに示すように、光源８に対向し、光源８からの光が入光する入光面となる第１の側面９１と、この第１の側面９１とは反対側の第２の側面９２と、光源８から入光した光が出射する第１の主面９３および第２の主面９４とを有する。すなわち、照明部７は、ケーシング１に収納された状態では、第１の側面９１から入射された光を第１、第２の主面９３，９４のうち、出射面となる第１の主面９３から出射する導光板９を有する。
【００２７】
また、図４Ａおよび図４Ｂに示すように、導光板９には、光を均一に出射するためのプリズム部が設けられている。本実施形態における導光板９は、プリズム部として、図４Ｂに示すように、第１の主面９３における第１の領域９３１に設けられた放射状プリズム１０と、第２の主面９４における第２の領域９４１に設けられた曲線プリズム１１とを有する。なお、放射状プリズム１０と曲線プリズム１１とについては、後に詳述する。
【００２８】
また、図４に示すように、導光板９において、プリズム部が形成された領域１２ａは、図２Ｂに示すように、ミラー２における透光部２２が形成された領域１２ｂよりも大としている。そして、図４に示すように、導光板９のミラー部２１に対向する側には、平坦領域１５（平坦部、プリズム等の光路変更手段が形成されていない領域）を形成し、光源８からの光が第１の主面９３側へ立ち上がることなくプリズム部へ導光されるようにしている。
【００２９】
また、照明部７は、第１の側面９１に入射される光を発する単一の光源８を有する。光源８は、第１の側面９１に対向する位置に所定の間隔をあけて配置される。このように、基本構成として１つの導光板９に１つの光源８を有する照明部７を、本実施形態に係る面状照明装置１００は、図５Ａおよび図５Ｂに示すように、ケーシング１の長手方向に２組並べて配置している。
【００３０】
すなわち、本実施形態に係る面状照明装置１００は、光源８，８同士が背中合わせとなるように一対の照明部７（第１の照明部７１および第２の照明部７２）が対称配置されている。そして、ミラー２の長辺方向における両側部に、ミラー部２１に隣接する透光部２２がそれぞれ形成される。
【００３１】
図５Ｂに示すように、一対の照明部７はケーシング１の底壁１１０に拡散反射フィルムまたは拡散板などの拡散層１３を介して配置している。図５Ｂに示す一例では、底壁１１０に配置された拡散層１３は、ケーシング１の周壁１１１に沿って延在している。拡散層１３は、光学特性に応じてその種類などを決定して用いるが、少なくともケーシング１の第１ケース部１ｂが反射率の高い材料で形成されている場合、拡散層１３を用いなくても構わない。
【００３２】
ところで、図４Ａ〜図４Ｃでは図示を省略したが、照明部７は、図５Ａおよび図５Ｂに示すように、基板９００を備えている。基板９００は、たとえばフレキシブルプリント配線板（ＦＰＣ：Flexible  printed  circuit）により形成される。
【００３３】
本実施形態における基板９００は、図５Ａに示すように、略Ｔ字状に形成されており、一対の導光板９，９との間に設けられた間隙に配置されている。すなわち、基板９００は、光源８を配置する第１実装領域９１０および第２実装領域９２０と、ケーシング１の長辺方向に並んで設けられた第１実装領域９１０および第２実装領域９２０からケーシング１の一側の長辺側に延在する接続領域９３０とを有する。
【００３４】
かかる構成により、一対の光源８，８は、共通の基板９００上に実装されて、互いに背中合わせとなるように配置されるとともに、単一の基板９００を介して駆動回路や電源に接続されたＬＥＤが駆動して発光する。このように、本実施形態においては、基板９００を小型化することができるため、コスト削減に寄与することができる。
【００３５】
また、光源８からの光は、点光源であるＬＥＤからの光であるため、図４Ｃに示すように、かかる光を拡散するめの入光プリズム１４が、導光板９の第１の側面９１に設けられている。すなわち、第１の側面９１のうち、光源８が発した光の照射範囲を含む領域に、第１の側面９１の厚み方向に沿った入光プリズム１４が設けられる。
【００３６】
入光プリズム１４は、いわゆるレンチキュラレンズにより構成され、レンチキュラ素子１４ａを、所定間隔１４ｂをあけて複数個並設して形成される。なお、レンチキュラ素子１４ａは、円柱を長手方向に平面で切断した際に得られる小さい方に相当する半円柱形状である。なお、図４Ａ〜図４Ｃにおいて、入光プリズム１４あるいはこれを構成するレンチキュラ素子１４ａについては、理解を容易にするために拡大して描いている。また、本実施形態においては、入光プリズム１４は導光板９と一体形成されたものとしているが、たとえば導光板９と同一素材の透光性材料で別体に形成したものを、一体的に取付けた構成としてもよい。また、入光プリズム１４としてはレンチキュラレンズには限定されず、たとえば、断面視三角形のプリズムであってもよい。
【００３７】
ミラー２と照明部７とを、ケーシング１に上述してきたように配置して構成したため、単一の光源８および導光板９の第１の側面９１は、ミラー２側から見た場合に、ミラー部２１の背後に位置することになる。また、導光板９の一方の主面である第１の主面９３における第１の領域９３１は、ミラー２側から見た場合に透光部２２と重なるように位置することになる。
【００３８】
上述してきた構成により、コストアップを抑制しつつ、面状照明装置１００を薄く構成して全体のスリム化を図ることができ、サンバイザー２００に設けるバニティミラーとして好適に用いることができる。
【００３９】
ここで、導光板９に設けられた放射状プリズム１０と曲線プリズム１１とについて、図４Ａおよび図４Ｂ、図６Ａ〜図７を用いて説明する。図６Ａは、放射状プリズム１０を導光方向に直交する方向の断面視で示す模式図、図６Ｂは、放射状プリズム１０を導光方向の断面視で示す模式図である。また、図７は、曲線プリズム１１を導光方向の断面視で示す模式図である。
【００４０】
図４Ｂに示すように、放射状プリズム１０は、導光板９の第１の主面９３において、ミラー２の透光部２２に対向する第１の領域９３１に形成されたプリズムであって、光源８の位置に応じた基準点Ｐを中心として放射状に延在している。ここでは、基準点Ｐを光源８の後方（導光板９とは反対側）に設定している。
【００４１】
この放射状プリズム１０は、図６Ａに示すように、導光方向から見た場合（図４における矢印Ｅ参照）、突出部となる略三角形の凸部１０ａと、凸部１０ａと略同形の凹部１０ｂとが交互に形成されている。
【００４２】
かかる放射状プリズム１０により、面状照明装置１００は、平面視（図４Ａおよび図５Ａ参照）において、光源８から導光板９の第１の側面９１に入光した光の導光方向（第２の側面９２に向かう方向）と垂直な方向に光を広げることができる。
【００４３】
このような光を広げる機能をより強化するために、本実施形態に係る放射状プリズム１０は、光源８に対向する第１の側面９１とは反対側の第２の側面９２に向かうにつれて、プリズムを形成する凸部１０ａ（突出部）の高さを高くしている。
【００４４】
すなわち、図６Ｂに示すように、放射状プリズム１０は、導光板９の第２の側面９２側における凸部１０ａの高さｄ１が、第１の側面９１側における凸部１０ａの高さｄ２よりも高くなるようにしている。したがって、図６Ｂに示すように、凸部１０ａの稜線は、導光板９の第２の側面９２に向かって上り勾配となる。
【００４５】
なお、かかる放射状プリズム１０の凸部１０ａの高さｄ１などは、光源８からの光の強さや導光板９の材料などに応じて、適宜な値に設定することができる。
【００４６】
また、曲線プリズム１１は、第２の主面９４において、放射状プリズム１０が形成された第１の領域９３１の裏側となる第２の領域９４１に形成されたプリズムであって、放射状プリズム１０の基準点Ｐを中心とした円弧状に形成されている。
【００４７】
また、この曲線プリズム１１は、図７に示すように、導光方向に沿った断面を導光方向と垂直な方向から見た場合、突出部となる複数の略三角形の突出部１１ａと、隣り合う突出部１１ａ，１１ａとの間に形成される平坦部１１ｂとが交互に形成されている。
【００４８】
かかる曲線プリズム１１により、第１の側面９１から入光した光を、第２の側面９２に至るまで効率的に導光させるとともに、第１の領域９３１に向けて立ち上げ第１の主面９３から出射させることができる。
【００４９】
そして、このような光の導光機能と立ち上げ機能（出射機能）をより強化するために、本実施形態に係る曲線プリズム１１は、プリズムを形成する突出部１１ａの高さが、光源８に対向する第１の側面９１側よりも反対側の第２の側面９２側が高くなっている。
【００５０】
すなわち、隣り合う２つの突出部１１ａ，１１ａの間に設けられる平坦部１１ｂは、図７に示すように、導光板９の第２の側面９２に向かにつれて厚くなっている。そのため、突出部１１ａにおける第２の側面９２側の高さＤ１は、第１の側面９１側の高さＤ２よりも高くなる。
【００５１】
なお、かかる曲線プリズム１１の突出部１１ａの高さＤ１、Ｄ２や平坦部１１ｂの長さ、さらには円弧の径などは、光源８からの光の強さや導光板９の材料、また入光プリズム１４（図４Ａ〜図４Ｃ参照）などに応じて、適宜な値に設定することができる。
【００５２】
また、放射状プリズム１０の基準点Ｐを曲線プリズム１１の円弧中心と一致させたため、平面視で放射状プリズム１０と曲線プリズム１１とが直交する（図４Ａ参照）。したがって、放射状プリズム１０と曲線プリズム１１とが協働して配光制御を行ったり、面均一性の機能を高めたりすることが容易となる。すなわち、配光制御のための集光プリズムシートや均一性向上のための拡散シートを省略することも可能となり、コストの削減に寄与することができる。なお、放射状プリズム１０の基準点Ｐと曲線プリズム１１の円弧中心とは、必ずしも一致させる必要はない。
【００５３】
また、導光板９は、光源８側から第１、第２の領域９３１，９４１までの間には、表面が平坦な部分が形成されることになる。かかる部分は、光源８からの光を、入光プリズム１４により導光方向とは垂直な方向に拡散された光を直進させて、透光部２２に到達するまでに、更に拡散させるために必要となる。かかる部分の大きさは、レンチキュラ素子１４ａの接触角や所定間隔１４ｂの長さ等によって、設定される。また、かかる部分は装置内の空きスペースに配置されることから、かかる部分を設けたことにより装置が大きくなることはない。
【００５４】
以上説明してきたように、本実施形態に係る面状照明装置１００は、サンバイザー２００に取付けて用いるバニティミラーとして利用するのに好適な薄型のスリムな構成を、コストアップとなることなく実現している。しかも、ミラー２に形成された透光部２２からは照明部７からの光を均等に出射することができる。
【００５５】
なお、上述してきた例では、ハーフミラー４の裏面に光吸収材５を設けてミラー２を構成したが、通常の鏡を用いることもできる。
【００５６】
（変形例１）
次に、図８および図９を参照して、面状照明装置１００の変形例について説明する。図８は、第１の変形例に係る面状照明装置を模式的に示す縦断面図である。また、図９は、第２の変形例に係る面状照明装置を模式的に示す縦断面図である。なお、図８および図９において、ハーフミラー４を透明樹脂板３に接着する接着層３００（図２Ｂ参照）については、便宜上、省略している。
【００５７】
変形例に係る面状照明装置１０１の基本構成は、上述してきた面状照明装置１００と何ら変わりはない。第１の変形例に係る面状照明装置１０１は、図８に示すように、ハーフミラー４の照明部７に対向する面に、防眩処理を施し、アンチグレア部５００を設けている点に特徴がある。なお、アンチグレア部５００には、内部散乱がない方が好ましく、表面（照明部７側の面）の凹凸で散乱する方が好ましい。そして、かかるアンチグレア部５００に光吸収材５を配置している。
【００５８】
このように、透明樹脂板３側から見てハーフミラー４の裏面側に防眩処理を施した第１の変形例に係る面状照明装置１０１では、導光板９を介して出射される光の拡散性能が大きく向上する。したがって、上述した実施形態に係る面状照明装置１００の導光板９に設けた放射状プリズム１０については廃止することもできる。
【００５９】
（変形例２）
次に、変形例に係る面状照明装置について、図９を用いて説明する。第２の変形例に係る面状照明装置１０２は、図９に示すように、ハーフミラー４の透光部２２と重なるように、導光板９とハーフミラー４との間に拡散フィルム６００を配置した点に特徴がある。すなわち、導光板９において、ハーフミラー４の透光部２２に対向する面に拡散フィルム６００が配置されている。
【００６０】
かかる拡散フィルム６００を、ハーフミラー４の透光部２２に近い位置に、この透光部２２と対向させて配置したことで、この場合も導光板９を介して出射される光の拡散性能が大きく向上する。したがって、第２の変形例に係る面状照明装置１０２においても、導光板９に設けた放射状プリズム１０を廃止しても構わない。
【００６１】
上述してきた実施形態によれば、以下に示す面状照明装置１００（１０１，１０２）が実現される。
【００６２】
（１）照明部７と、照明部７に積層されるミラー２と、を備え、照明部７は、第１の側面９１から入射された光を２つの主面９３，９４のうち第１の主面９３から出射する導光板９と、第１の側面９１に対向し、この第１の側面９１に入射される光を発する単一の光源８とを有し、ミラー２は、ミラー部２１と、照明部７からの光を透過する透光部２２とを有し、単一の光源８および導光板９の第１の側面９１は、ミラー２側から見た場合にミラー部２１の背後に位置し、導光板９の第１の主面９３は、ミラー２側から見た場合に透光部２２と重なる、面状照明装置１００。
【００６３】
かかる面状照明装置１００によれば、１つの導光板９に対して１つの光源８のみを配置することで部品削減が可能となるため、コストアップを抑制しつつ、装置全体のスリム化を図ることができ、バニティミラーとして好適に用いることができる。
【００６４】
（２）上記（１）において、ミラー２は、板状のハーフミラー４で形成されており、ミラー部２１は、ハーフミラー４の照明部７と対向する面に光吸収材５が配置されている、面状照明装置１００。
【００６５】
かかる面状照明装置１００によれば、ハーフミラー４を用いたことで、光吸収材５を利用するだけでミラー部２１と透光部２２とを形成できる。しかも、両者の間を仕切るフレームなどが存在しないシームレスな構成とすることができるため、意匠的な見栄えも向上する。
【００６６】
（３）上記（１）または（２）において、光源８，８同士が背中合わせとなるように一対の照明部７が対称配置されており、ミラー２の長辺方向における両側部に、ミラー部２１に隣接する透光部２２がそれぞれ形成されている、面状照明装置１００。
【００６７】
かかる面状照明装置１００によれば、ミラー機能および照明機能のいずれも損なうことなく、１つの導光板に対して１つの光源を、効率よく省スペースで配置することができる。
【００６８】
（４）上記（３）において、２つの光源８，８を背中合わせとなるように対向して配置する単一の基板９００を備える、面状照明装置１００。
【００６９】
かかる面状照明装置１００によれば、基板９００を小型化することができるため、コスト削減に寄与することができる。
【００７０】
（５）上記（１）から（４）のいずれかにおいて、導光板９は、第１の主面９３において、ミラー部２１に対向する領域に平坦領域１５が形成されている、面状照明装置１００。
【００７１】
かかる面状照明装置１００によれば、光源８からの光を、透光部２２の方向に向けて平坦領域１５において直進させることができるため、面均一性を向上させることができる。
【００７２】
（６）上記（１）から（５）のいずれかにおいて、導光板９は、光を均一に出射するためのプリズム部として、第１の主面９３において、ミラー２の透光部２２に対向する第１の領域９３１に形成されたプリズムであって、光源８の位置に応じた基準点Ｐを中心として放射状に延在する放射状プリズム１０を有する、面状照明装置１００。
【００７３】
かかる面状照明装置１００によれば、光源８からの光を、導光板９における光の導光方向（第２の側面９２に向かう方向）と垂直な方向に光を広げることができ、光の面均一性を向上させ、照明機能を向上させることができる。
【００７４】
（７）上記（６）において、放射状プリズム１０は、光源８に対向する第１の側面９１とは反対側の第２の側面９２に向かうにつれて、プリズムを形成する凸部１０ａの高さが高くなる、面状照明装置１００。
【００７５】
かかる面状照明装置１００によれば、放射状プリズム１０の機能をより高めることができ、照明機能がより向上する。
【００７６】
（８）上記（６）または（７）において、導光板９は、プリズム部として、２つの主面９３，９４のうち第２の主面９４において、第１の領域９３１の裏側となる第２の領域９４１に形成されたプリズムであって、基準点Ｐを中心とした円弧状の曲線プリズム１１をさらに有する、面状照明装置１００。
【００７７】
かかる面状照明装置１００によれば、光源８から導光板９の第１の側面９１に入射された光を、反対側の第２の側面９２まで効率的に導光する配光制御が可能となり、照明機能を向上させることができる。
【００７８】
（９）上記（８）において、曲線プリズム１１は、プリズムを形成する突出部１１ａの高さが、光源８に対向する第１の側面９１側よりも反対側の第２の側面９２側が高い、面状照明装置１００。
【００７９】
かかる面状照明装置１００によれば、曲線プリズム１１の機能をより高めることができ、照明機能がより向上する。
【００８０】
（１０）上記（６）から（９）のいずれかにおいて、導光板９においてプリズム部が形成された第１、第２の領域９３１，９４１は、ミラー２における透光部２２が形成された領域よりも大である、面状照明装置１００。
【００８１】
かかる面状照明装置１００によれば、導光板９を直進してきた光を、透光部２２全体から効率良く出射することができる。
【００８２】
（１１）上記（１）から（１０）のいずれかにおいて、導光板９における第１の側面９１のうち、単一の光源８が発した光の照射範囲を含む領域には、第１の側面９１の厚み方向に沿った入光プリズム１４が設けられている、面状照明装置１００。
【００８３】
かかる面状照明装置１００によれば、第１の側面９１から導光板９内に入射した光の配光制御および面均一性を高めることができ、光源８からの光を、第１の側面９１へ効率的に入光させることができる。
【００８４】
（１２）上記（１）から（１１）のいずれかにおいて、ミラー２は、板状のハーフミラー４で形成されており、ハーフミラー４の裏面側に防眩処理が施されている、面状照明装置１０１。
【００８５】
かかる面状照明装置１０１によれば、導光板９を介して出射される光の拡散性能が大きく向上するため、導光板９に放射状プリズム１０を設けなくとも、配光制御や面均一性を損なうおそれがなくなる。
【００８６】
（１３）上記（１）から（１１）のいずれかにおいて、ミラー２は、板状のハーフミラー４で形成されており、ハーフミラー４の透光部２２と重なるように、導光板９とハーフミラー４との間に拡散フィルム６００を配置した、面状照明装置１０２。
【００８７】
かかる面状照明装置１０１によれば、導光板９を介して出射される光の拡散性能が大きく向上するため、導光板９に放射状プリズム１０を設けなくとも、配光制御や面均一性を損なうおそれがなくなる。
【００８８】
なお、上述してきた実施の形態により本発明が限定されるものではない。たとえば、本実施形態では、面状照明装置１００をバニティミラーとして用いた場合を説明したが、面状照明装置１００の用途は限定されるものではない。
【００８９】
また、上記の各構成を適宜組み合わせたものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００９０】
２  ミラー、４  ハーフミラー、５  光吸収材、７  照明部、８  光源、９  導光板、１０  放射状プリズム、１０ａ  凸部、１１  曲線プリズム、１１ａ  突出部、１４  入光プリズム、１５  平坦領域、２１  ミラー部、２２  透光部、９１  第１の側面、９２  第２の側面、９３  第１の主面、９４  第２の主面、１００，１０１，１０２  面状照明装置、６００  拡散フィルム、９００  基板、９３１  第１の領域、９４１  第２の領域
【図１】
2020083274.tif 000003
【図２Ａ】
2020083274.tif 000004
【図２Ｂ】
2020083274.tif 000005
【図３Ａ】
2020083274.tif 000006
【図３Ｂ】
2020083274.tif 000007
【図４Ａ】
2020083274.tif 000008
【図４Ｂ】
2020083274.tif 000009
【図４Ｃ】
2020083274.tif 000010
【図５Ａ】
2020083274.tif 000011
【図５Ｂ】
2020083274.tif 000012
【図６Ａ】
2020083274.tif 000013
【図６Ｂ】
2020083274.tif 000014
【図７】
2020083274.tif 000015
【図８】
2020083274.tif 000016
【図９】
2020083274.tif 000017